(57)【要約】【課題】光放射方向の剛性を向上させるとともに、放熱効率を低下させることなく、発光基板と放熱板との線膨張係数差による歪みの発生を防止することが可能な光書込装置、及び当該光書込装置を備える画像形成装置を提供する。【解決手段】複数の発光素子１１２を備える発光基板１１と、発光素子１１２から出射された光Ｌを像担持体２００上に集光させるＳＬＡ１２と、発光基板１１及びＳＬＡ１２を保持するホルダー１３と、発光基板１１の発する熱を放熱する放熱板１４と、を備える。また、発光基板１１は、光放射方向に垂直な平面において長尺方向と当該長尺方向に直交する短尺方向に延在する。また、放熱板１４は、発光基板１１の長尺方向に沿って間隔を空けて複数並べて貼り付けられた貼り付け部１４１と、全ての貼り付け部１４１と結合する放熱部１４２と、を備える。さらに、貼り付け部１４１と放熱部１４２とは、互いに異なる平面上に配置される。【選択図】図２
2014233908.tif 000002
【特許請求の範囲】
【請求項１】
複数の光源を備える発光基板と、
前記光源から出射された光を像担持体上に集光させる光学素子と、
前記発光基板及び前記光学素子を保持するホルダーと、
前記発光基板の発する熱を放熱する放熱板と、
を備え、
前記発光基板は、光放射方向に垂直な平面において長尺方向と当該長尺方向に直交する短尺方向に延在し、
前記放熱板は、
前記発光基板の前記長尺方向に沿って間隔を空けて複数並べて貼り付けられた貼り付け部と、
全ての前記貼り付け部と結合する放熱部と、
を備え、
前記貼り付け部と前記放熱部とは、互いに異なる平面上に配置されることを特徴とする光書込装置。
【請求項２】
前記放熱部は、前記発光基板の光放射方向と平行な平面上に配置されることを特徴とする請求項１に記載の光書込装置。
【請求項３】
前記貼り付け部と前記放熱部とは、互いに垂直な平面上に配置されることを特徴とする請求項１又は２に記載の光書込装置。
【請求項４】
前記放熱部は、前記発光基板の前記短尺方向における一方の端部と結合することを特徴とする請求項１〜３のいずれか一項に記載の光書込装置。
【請求項５】
前記放熱部は、前記貼り付け部が並べられた順に、前記発光基板の前記短尺方向における一方の端部と他方の端部と交互に結合することを特徴とする請求項１〜３のいずれか一項に記載の光書込装置。
【請求項６】
前記放熱部は、前記発光基板の長尺方向に平行な平行面部と垂直な垂直面部とが繰り返し形成されたジグザグ形状を有することを特徴とする請求項５に記載の光書込装置。
【請求項７】
前記貼り付け部は、前記光放射方向側の面に貼り付けられ、
前記放熱部は、前記光放射方向と反対側の面に配置されることを特徴とする請求項１〜６のいずれか一項に記載の光書込装置。
【請求項８】
前記光源は、ＯＬＥＤであり、
前記放熱板は、前記発光基板よりも線膨張係数が大きいことを特徴とする請求項１〜７のいずれか一項に記載の光書込装置。
【請求項９】
像担持体と、
前記像担持体を帯電させる帯電部と、
前記帯電部により帯電された前記像担持体に対して光を照射することで前記像担持体上に静電潜像を形成する請求項１〜８のいずれか一項に記載の光書込装置と、
前記光を照射された前記像担持体に現像剤を供給することで前記静電潜像を現像剤による像に顕像化する現像部と、
前記現像剤による像を記録媒体に転写する転写部と、
前記転写部により転写された前記現像剤による像を前記記録媒体に定着する定着部と、
を備えることを特徴とする画像形成装置。
【発明の詳細な説明】
【技術分野】
【０００１】
本発明は、光書込装置、及び当該光書込装置を備える画像形成装置に関する。
【背景技術】
【０００２】
従来、光書込装置の発光基板等の発熱部材の放熱には放熱板が使用されることが一般的であり、この放熱板を発熱部材上の平面部に接着剤等を用いて貼り付けることで放熱効果を持たせてきた。しかしながら、発熱部材と放熱板の線膨張係数が異なる場合、温度変化が発生した際に熱膨張量の差により歪みが発生するため、部品の変形による性能の劣化や故障が課題とされてきた。
【０００３】
そこで、上記課題を解決すべく、例えば、放熱フィンの途中にバネ性を有する折り曲げ部を設けることで、熱膨張量の差を吸収する技術が提案されている（例えば、特許文献１参照）。
また、垂直面部と平行面部とが繰り返し形成されたジグザグ形状を有することで、垂直面部の弾性変形を用いて熱膨張量の差を全域に亘って吸収する技術が提案されている（例えば、特許文献２参照）。
また、平板から立設した複数の柱部を発熱部材に接触させて放熱することで、熱膨張量の差を柱部の歪みで吸収する技術が提案されている（例えば、特許文献３参照）。
【先行技術文献】
【特許文献】
【０００４】
【特許文献１】特開２００９−１９６２２８号公報
【特許文献２】特開２００４−７１６４３号公報
【特許文献３】特開２００４−８７６１２号公報
【発明の概要】
【発明が解決しようとする課題】
【０００５】
しかしながら、上記特許文献１記載の技術では、折り曲げ部が設けられている部分に関しては熱膨張量の差を吸収することができるが、放熱フィンが設けられている部分に関しては吸収することができない。従って、吸収できない熱膨張量の差により歪みが発生するため、光書込装置等の高精度な位置決めを要求される装置への応用は困難である。
また、上記特許文献２，３記載の技術では、発熱部材と放熱板との接触面積が大幅に減少するため、放熱板への伝熱が行われにくくなり、放熱効率の低下や放熱効率の不均一化といった不都合が生じる。
【０００６】
また、光書込装置の発光基板は、略矩形状に形成されており、長尺方向の長さは３００ｍｍ以上にも及ぶ。そして、発光基板には長尺方向に沿って複数の発光点（発光素子）が配置されているが、発光点毎の温度ムラは光書込装置の性能劣化につながるため、長尺方向全域で確実な放熱が必要となる。
それとともに、発光基板が光を放射する方向における、発光点と光学素子の相対位置精度の要求仕様が非常に高く、例えば、発光基板と放熱板の線膨張係数差による温度変化時の歪みを１箇所の弾性部で吸収した場合、弾性部が設けられていない箇所の歪みが性能に影響するため、歪みを長尺方向全域で均一に吸収する機構が必要となる。
【０００７】
さらに、光書込装置の発光基板は、非常に薄く形成されており、単体では剛性が足りていないことが一般的である。従って、光源ユニットを装置本体に固定する際の取り付け歪みにより、長尺方向両端を節として光放射方向に撓みを発生する虞があるため、放熱板により光放射方向の剛性を向上させることが好ましい。
【０００８】
本発明は、光放射方向の剛性を向上させるとともに、放熱効率を低下させることなく、発光基板と放熱板との線膨張係数差による歪みの発生を防止することが可能な光書込装置、及び当該光書込装置を備える画像形成装置を提供することを目的とする。
【課題を解決するための手段】
【０００９】
請求項１に記載の発明は、上記目的を達成するためになされたものであり、
光書込装置において、
複数の光源を備える発光基板と、
前記光源から出射された光を像担持体上に集光させる光学素子と、
前記発光基板及び前記光学素子を保持するホルダーと、
前記発光基板の発する熱を放熱する放熱板と、
を備え、
前記発光基板は、光放射方向に垂直な平面において長尺方向と当該長尺方向に直交する短尺方向に延在し、
前記放熱板は、
前記発光基板の前記長尺方向に沿って間隔を空けて複数並べて貼り付けられた貼り付け部と、
全ての前記貼り付け部と結合する放熱部と、
を備え、
前記貼り付け部と前記放熱部とは、互いに異なる平面上に配置されることを特徴とする。
【００１０】
請求項２に記載の発明は、請求項１に記載の光書込装置において、
前記放熱部は、前記発光基板の光放射方向と平行な平面上に配置されることを特徴とする。
【００１１】
請求項３に記載の発明は、請求項１又は２に記載の光書込装置において、
前記貼り付け部と前記放熱部とは、互いに垂直な平面上に配置されることを特徴とする。
【００１２】
請求項４に記載の発明は、請求項１〜３のいずれか一項に記載の光書込装置において、
前記放熱部は、前記発光基板の前記短尺方向における一方の端部と結合することを特徴とする。
【００１３】
請求項５に記載の発明は、請求項１〜３のいずれか一項に記載の光書込装置において、
前記放熱部は、前記貼り付け部が並べられた順に、前記発光基板の前記短尺方向における一方の端部と他方の端部と交互に結合することを特徴とする。
【００１４】
請求項６に記載の発明は、請求項５に記載の光書込装置において、
前記放熱部は、前記発光基板の長尺方向に平行な平行面部と垂直な垂直面部とが繰り返し形成されたジグザグ形状を有することを特徴とする。
【００１５】
請求項７に記載の発明は、請求項１〜６のいずれか一項に記載の光書込装置において、
前記貼り付け部は、前記光放射方向側の面に貼り付けられ、
前記放熱部は、前記光放射方向と反対側の面に配置されることを特徴とする。
【００１６】
請求項８に記載の発明は、請求項１〜７のいずれか一項に記載の光書込装置において、
前記光源は、ＯＬＥＤであり、
前記放熱板は、前記発光基板よりも線膨張係数が大きいことを特徴とする。
【００１７】
請求項９に記載の発明は、画像形成装置において、
像担持体と、
前記像担持体を帯電させる帯電部と、
前記帯電部により帯電された前記像担持体に対して光を照射することで前記像担持体上に静電潜像を形成する請求項１〜８のいずれか一項に記載の光書込装置と、
前記光を照射された前記像担持体に現像剤を供給することで前記静電潜像を現像剤による像に顕像化する現像部と、
前記現像剤による像を記録媒体に転写する転写部と、
前記転写部により転写された前記現像剤による像を前記記録媒体に定着する定着部と、
を備えることを特徴とする。
【発明の効果】
【００１８】
本発明によれば、光放射方向の剛性を向上させるとともに、放熱効率を低下させることなく、発光基板と放熱板との線膨張係数差による歪みの発生を防止することができる。
【図面の簡単な説明】
【００１９】
【図１】本実施形態に係る画像形成装置の概略構成を示す図である。
【図２】本実施形態に係る光プリントヘッドの概略構成を示す図である。
【図３】本実施形態に係る光プリントヘッドの全体構成を示す斜視図である。
【図４】放熱板の放熱部が撓む様子の一例を示す平面図である。
【図５】発光基板の概略構成を示す平面図である。
【図６】変形例１に係る光プリントヘッドの全体構成を示す斜視図である。
【図７】放熱板の構成を示す底面図である。
【図８】放熱板の放熱部が撓む様子の一例を示す平面図である。
【図９】変形例２に係る光プリントヘッドの全体構成を示す斜視図である。
【図１０】変形例２に係る光プリントヘッドの全体構成を示す側面図である。
【図１１】図９のＸＩ−ＸI部の一例を示す断面図である。
【図１２】発光基板及び放熱板の構成を示す斜視図である。
【発明を実施するための形態】
【００２０】
以下に、本発明を実施するための最良の形態について、図面を用いて説明する。
【００２１】
本実施形態に係る画像形成装置１０００は、例えば、プリンターやデジタル複写機等として用いられ、図１に示すように、シアン、マゼンタ、イエロー、ブラックの色毎に設けられた複数の光プリントヘッド（光書込装置）１００と、光プリントヘッド１００に対応して設けられた感光体ドラム等の像担持体２００と、像担持体２００を帯電する帯電部２１０と、光を照射された像担持体２００に現像剤を供給することで静電潜像を現像剤による像に顕像化する現像部２２０と、中間転写ベルト３００と、現像剤による像を記録媒体に転写する転写ローラー（転写部）４００と、転写ローラー４００により転写された現像剤による像を記録媒体に定着する定着部５００と、等を備えて構成される。
【００２２】
画像形成装置１０００は、光プリントヘッド１００より照射される光によって像担持体２００に静電潜像を形成させる。次に、画像形成装置１０００は、静電潜像が形成された像担持体２００に現像剤を供給することで当該静電潜像を現像剤による像に顕像化し、中間転写ベルト３００上に当該現像剤による像を転写させる。次に、画像形成装置１０００は、中間転写ベルト３００に転写された現像剤による像を転写ローラー４００によって記録媒体としての用紙Ｐに押圧して転写させる。次に、画像形成装置１０００は、定着部５００によって用紙Ｐを加熱及び加圧することで、現像剤による像を用紙Ｐ上に定着する。そして、画像形成装置１０００は、用紙Ｐを排紙ローラー（図示省略）等により搬送してトレイ（図示省略）に排紙することで画像形成処理を行う。
【００２３】
光プリントヘッド１００は、図１及び図２に示すように、帯電部２１０により帯電された像担持体２００に対して光Ｌを照射することで像担持体２００上に静電潜像を形成する装置である。光プリントヘッド１００は、光Ｌを出射させる発光素子（光源）１１２を複数備える発光基板１１と、発光基板１１に備えられた複数の発光素子１１２から出射された光Ｌを像担持体２００上に集光させる光学素子である屈折率分布型ロッドレンズアレイ（ＳＬＡ（登録商標）；Selfoc（登録商標） Lens Array）１２（以下、ＳＬＡ１２）と、発光基板１１の発する熱を放熱する放熱板１４と、を備え、これらをホルダー１３で保持するように構成されている。
【００２４】
以下の説明では、図２〜図４等に示す発光基板１１の長尺方向をＹ方向、短尺方向をＺ方向、Ｙ方向及びＺ方向に直交する方向をＸ方向とする。また、図２〜図４等に示す光プリントヘッド１００において、放熱板１４の放熱部１４２が延出する側を上側、上側と反対方向を下側とする。本実施形態では、光プリントヘッド１００の発光基板１１から、Ｘ方向下方に向けて光Ｌが出射されるようになっている。即ち、Ｘ方向は、光Ｌの光軸方向と一致する。
なお、図３については、ＳＬＡ１２及びホルダー１３の記載を省略している。
【００２５】
発光基板１１は、略矩形状に形成された基体１１１上に、複数の発光素子１１２が略直線上に１列並べられて構成されている（図５参照）。なお、複数の発光素子１１２を略直線上に複数列並べるように構成してもよい。複数の発光素子１１２が複数列並べられる場合は千鳥状に配列され、発光基板１１の短尺方向で発光素子１１２が重ならないように、長尺方向に少しずつずらして配列される。また、本実施形態では、発光素子１１２として、有機発光ダイオード（Organic Light-Emitting Diode：ＯＬＥＤ）が用いられており、発光基板１１の基体１１１は、線膨張係数の小さいガラスにより形成されている。
【００２６】
ＳＬＡ１２は、発光基板１１と像担持体２００の間に配置され、複数のロッドレンズが発光基板１１上の複数の発光素子１１２の列方向と略平行に並べられて構成されている。複数のロッドレンズの各々は、中心軸、即ち、光軸での屈折率が低く、中心軸から離れるほど屈折率が高くなるように形成されている。発光基板１１の複数の発光素子１１２から出射された光束は、ＳＬＡ１２の複数のロッドレンズを透過し、像担持体２００の表面上に微小なスポットとして結像されるようになっている。
【００２７】
ホルダー１３は、液晶ポリマーにより形成され、発光基板１１と、ＳＬＡ１２と、を保持可能に構成されている。液晶ポリマーは、配合する材料を調製することで、発光基板１１の基体１１１の線膨張係数に近づけておくことが望ましい。なお、ホルダー１３の材質は、液晶ポリマーに限定されるわけではなく、他の樹脂や金属を使用するようにしてもよい。
【００２８】
放熱板１４は、ガラス（発光基板１１の基体１１１）よりも線膨張係数が大きい銅や鋼、アルミニウム等の板金を加工して形成され、貼り付け部１４１と、放熱部１４２と、を備えて構成されている。
貼り付け部１４１は、図３及び図４に示すように、発光基板１１の上面、即ち、光放射方向と反対側の面に、長尺方向（Ｙ方向）に沿って間隔を空けて複数並べて貼り付けられている。貼り付け部１４１は、発光基板１１の光放射方向と垂直な平面（ＹＺ平面）上に配置されている。
放熱部１４２は、全ての貼り付け部１４１の短尺方向（Ｚ方向）の一端部と結合している。放熱部１４２は、発光基板１１の光放射方向と平行な平面（ＸＹ平面）上に配置されている。即ち、貼り付け部１４１と放熱部１４２とは、互いに垂直な平面上に配置されている。
【００２９】
次に、本実施形態に係る光プリントヘッド１００の作用について、図４を参照して説明する。
本実施形態に係る光プリントヘッド１００によれば、発光基板１１に備えられた複数の発光素子１１２から出射された光Ｌが、ＳＬＡ１２を透過して、像担持体２００の表面上に微小なスポットとして結像される。
このとき、複数の発光素子１１２は、光Ｌの出射に伴い発熱することとなる。本実施形態では、発光基板１１の上面に放熱板１４が貼り付けられているため、この放熱板１４を介して複数の発光素子１１２が発した熱を放熱することができる。
ところで、ガラスにより形成された発光基板１１と板金を加工して形成された放熱板１４とでは、線膨張係数が異なる。例えば、ガラスの線膨張係数は８．５〜９．０×１０-6／℃であり、アルミニウムの線膨張係数は２３×１０-6／℃である。従って、温度変化が発生した際に、各部材の熱膨張量の差により歪みが発生する。そこで、本実施形態では、貼り付け部１４１を複数貼り付けるとともに、放熱部１４２を全ての貼り付け部１４１のＺ方向の一端部と結合している。例えば、雰囲気温度変化により発光基板１１の温度が下降した場合、図４に示すように、上記熱膨張量の差により隣接する貼り付け部１４１同士の間隔が広がることとなるが、放熱部１４２を発光基板１１の光放射方向と垂直な方向（図中Ｚ方向）に撓ませることで、上記熱膨張量の差を吸収している。
また、本実施形態では、発光基板１１の上面の全域に亘って貼り付け部１４１を貼り付けている。従って、発光基板１１と放熱板１４との接触面積を十分に確保することができる。また、発光基板１１のＹ方向全域で確実に放熱することができる。さらに、発光基板１１のＹ方向全域で歪みを均一に吸収することができる。
また、本実施形態では、放熱部１４２が、ＸＹ平面上に配置されている。従って、温度変化時の歪みを発光基板１１の光放射方向と垂直な方向（図中Ｚ方向）に逃がすことができる。
また、本実施形態では、貼り付け部１４１と放熱部１４２とは、互いに垂直な平面上に配置されている。従って、発光基板１１の光放射方向（Ｘ方向）の剛性を向上させることができる。
【００３０】
以上のように、本実施形態に係る光プリントヘッド１００は、複数の発光素子１１２を備える発光基板１１と、発光素子１１２から出射された光Ｌを像担持体２００上に集光させるＳＬＡ１２と、発光基板１１及びＳＬＡ１２を保持するホルダー１３と、発光基板１１の発する熱を放熱する放熱板１４と、を備える。従って、放熱板１４を介して発光基板１１が発した熱を放熱することができる。
また、発光基板１１は、Ｘ方向に垂直な平面においてＹ方向と当該Ｙ方向に直交するＺ方向に延在し、放熱板１４は、発光基板１１のＹ方向に沿って間隔を空けて複数並べて貼り付けられた貼り付け部１４１と、全ての貼り付け部１４１と結合する放熱部１４２と、を備える。従って、雰囲気温度変化により光プリントヘッド１００の温度が変化した場合、放熱部１４２を発光基板１１の光放射方向と垂直な方向（図中Ｚ方向）に撓ませることで、発光基板１１と放熱板１４との熱膨張量の差を吸収させることができるので、温度変化時に発光基板１１に発生するＸ方向歪みの発生を防止することができ、部品の変形による性能の劣化や故障を防止することができる。また、発光基板１１と放熱板１４との接触面積を十分に確保することができるので、放熱効率の低下や放熱効率の不均一化といった不都合を防止することができる。また、発光基板１１のＹ方向全域で確実に放熱することができるので、Ｙ方向に沿って配置される複数の発光素子１１２毎の温度ムラを防止することができる。さらに、発光基板１１のＹ方向全域でＸ方向歪みの発生を均一に防止することができるので、発光素子１１２とＳＬＡ１２の相対位置精度の要求仕様を満足させることができる。
【００３１】
また、貼り付け部１４１と放熱部１４２とは、互いに異なる平面上に配置される。即ち、放熱部１４２は、発光基板１１の光放射方向（Ｘ平面）と垂直な平面（ＹＺ平面）とは異なる平面上に配置される。これにより、発光基板１１のＸ方向の剛性を向上させることができるので、光源ユニットの取り付け歪みによるＸ方向への撓みの発生を防止することができる。
特に、本実施形態に係る光プリントヘッド１００によれば、貼り付け部１４１と放熱部１４２とは互いに垂直な平面上に配置される。従って、発光基板１１のＸ方向の剛性を更に向上させることができるので、光源ユニットの取り付け歪みによるＸ方向への撓みの発生を更に高精度に防止することができる。
また、本実施形態に係る光プリントヘッド１００によれば、放熱部１４２がＸＹ平面上に配置される。従って、温度変化時の歪みをＺ方向に逃がすことができるので、温度変化時のＸ方向への歪みの発生を更に高精度に防止することができる。
【００３２】
以上、本発明に係る実施形態に基づいて具体的に説明したが、本発明は上記実施形態に限定されるものではなく、その要旨を逸脱しない範囲で変更可能である。
【００３３】
（変形例１）
例えば、図６〜図８に示す例では、実施形態の放熱板１４と比べ、放熱部１４３の構造が異なっている。なお、説明の簡略化のため、実施形態と同様の構成については、同一の符号を付して、その詳細な説明を省略する。
なお、図６については、ＳＬＡ１２及びホルダー１３の記載を省略している。
【００３４】
変形例１に係る放熱部１４３は、貼り付け部１４１が並べられた順に、発光基板１１のＺ方向における一方の端部と他方の端部と交互に結合している。具体的には、放熱部１４３は、発光基板１１のＹ方向に垂直な垂直面部１４３ａと平行な平行面部１４３ｂとが繰り返し形成されたジグザグ形状を有しており、平面視で凹凸が交互に繰り返された九十九折状に形成されている。そして、放熱部１４３は、垂直面部１４３ａと平行面部１４３ｂとにより各貼り付け部１４１の三方を囲うように設けられている。
【００３５】
変形例１に係る光プリントヘッド１００によれば、放熱部１４３がジグザグ形状を有しているので、図７に示すように、板金の抜き加工の限界以上に貼り付け部１４１同士を近接して配置させることができる。従って、発光基板１１と放熱板１４との接触面積を更に十分に確保することができるので、より効率的な放熱を行うことができる。
また、変形例１に係る光プリントヘッド１００によれば、放熱部１４３は、貼り付け部１４１が並べられた順に、発光基板１１のＺ方向における一方の端部と他方の端部と交互に結合しているので、例えば、雰囲気温度低下により光プリントヘッド１００の温度が下降した場合、図８に示すように、平行面部１４３ｂを中心として両脇の垂直面部１４３ａがＹ方向外方に開くように歪むこととなる。変形例１では、平行面部１４３ｂがＺ方向における一方の端部と他方の端部と交互に配置されているので、温度変化時の放熱部１４３の歪みがＺ方向両側に分散される。これにより、温度変化時のＸ方向歪みを確実にＺ方向へ逃がすことができるため、Ｘ方向への歪みの発生を更に高精度に防止することができる。
【００３６】
（変形例２）
また、図９〜図１２に示す例では、実施形態の放熱板１４と比べ、貼り付け部１４４及び放熱部１４５の構造が異なっている。なお、説明の簡略化のため、実施形態と同様の構成については、同一の符号を付して、その詳細な説明を省略する。
変形例２に係る貼り付け部１４４は、図１２に示すように、発光基板１１の下面、即ち、光放射方向側の面に、Ｙ方向に沿って間隔を空けて複数並べて貼り付けられている。具体的には、貼り付け部１４４は、発光基板１１のＺ方向における各端部に、それぞれ一列ずつ並べて貼り付けられている。
変形例２に係る放熱部１４５は、垂直面部１４５ａと平行面部１４５ｂとが繰り返し形成されたジグザグ形状を有しており、平面視で凹凸が交互に繰り返された九十九折状に形成されている。放熱部１４５は、発光基板１１の上面、即ち、光放射方向と反対側の面に配置されている。また、平行面部１４５ｂは、発光基板１１のＺ方向端部から下方に延出して、当該平行面部１４５ｂと対応する位置に配置された貼り付け部１４４と結合している。即ち、放熱板１４Ｂは、発光基板１１を側方から挟み込むように構成されている。
【００３７】
変形例２に係る光プリントヘッド１００によれば、貼り付け部１４４は、発光基板１１の下面に貼り付けられ、放熱部１４５は、発光基板１１の上面に配置されているので、ガラス製の基体１１１間に形成された熱抵抗の大きい窒素封入層１１３を通過することなく、放熱を行うことができる（図１１参照）。従って、発光素子１１２の発する熱を放熱する際に、より熱抵抗の小さい経路で放熱することができるので、更に効率的な放熱を行うことができる。
【００３８】
（その他の変形例）
また、上記実施形態では、光源として、ＯＬＥＤを使用しているが、これに限定されるものではない。例えば、ＯＬＥＤの代わりの光源として、ＬＥＤを使用するようにしてもよい。
また、上記実施形態では、略矩形状の発光基板１１を例示して説明しているが、これに限定されるものではない。発光基板１１は、光放射方向に垂直な平面（ＹＺ平面）において長尺方向（Ｙ方向）と当該長尺方向に直交する短尺方向（Ｚ方向）に延在していればよく、例えば、楕円形状であってもよい。
【００３９】
また、上記実施形態では、放熱部１４２を、発光基板１１の光放射方向と平行な平面（ＸＹ平面）上に配置するようにしているが、これに限定されるものではない。発光基板１１の光放射方向と垂直な平面（ＹＺ平面）上でなければ、いかなる平面上に配置するようにしてもよい。
また、上記実施形態では、貼り付け部１４１と放熱部１４２とを、互いに垂直な平面上に配置するようにしているが、これに限定されるものではない。貼り付け部１４１と放熱部１４２とを、同一の平面上に配置するのでなければ、いかなる平面上に配置するようにしてもよい。
【００４０】
また、上記変形例１では、放熱部１４３を、垂直面部１４３ａと平行面部１４３ｂとが繰り返し形成されたジグザグ形状を有するようにしているが、これに限定されるものではない。放熱部１４３を、貼り付け部１４１が並べられた順に、発光基板１１のＺ方向における一方の端部と他方の端部と交互に結合する構成であればいかなる構成であってもよく、例えば、垂直面部１４３ａを曲線状に形成するようにしてもよい。
【００４１】
その他、光プリントヘッド及び画像形成装置を構成する各装置の細部構成及び各装置の細部動作に関しても、本発明の趣旨を逸脱することのない範囲で適宜変更可能である。
【符号の説明】
【００４２】
１０００  画像形成装置
１００  光プリントヘッド（光書込装置）
１１  発光基板
１１１  基体
１１２  発光素子（光源）
１１３  窒素封入層
１２  ＳＬＡ（光学素子）
１３  ホルダー
１４、１４Ｂ  放熱板
１４１、１４４  貼り付け部
１４２、１４３、１４５  放熱部
１４３ａ、１４５ａ  垂直面部
１４３ｂ、１４５ｂ  平行面部
２００  像担持体
２１０  帯電部
２２０  現像部
３００  中間転写ベルト
４００  転写ローラー（転写部）
５００  定着部
【図１】
2014233908.tif 000003
【図２】
2014233908.tif 000004
【図３】
2014233908.tif 000005
【図４】
2014233908.tif 000006
【図５】
2014233908.tif 000007
【図６】
2014233908.tif 000008
【図７】
2014233908.tif 000009
【図８】
2014233908.tif 000010
【図９】
2014233908.tif 000011
【図１０】
2014233908.tif 000012
【図１１】
2014233908.tif 000013
【図１２】
2014233908.tif 000014